(57)【要約】      （修正有）【課題】使用状況に応じて検知感度を可変可能とし、検知精度のよい空調装置を提供する。【解決手段】人体検知装置を備え、当該人体検知装置により運転状態を可変可能とし、当該運転状態を制御する制御装置を備える空調装置において、前記制御装置はファンモータ等空調装置の電気回路と、当該電気回路の駆動を制御する制御部とから構成され、当該制御部には空調装置の運転状態に応じて前記人体検知装置の検知感度を可変可能とする。前記人体検知装置は機器の側面に設けてもよい。【選択図】図２
2007113907.tif 000002
【特許請求の範囲】
【請求項１】
火炎を用いた空調装置であって、当該空調装置には人体検知装置を備え、当該人体検知装置により運転状態を可変可能とし当該運転状態を制御する制御装置を備える空調装置において、前記制御装置はファンモータ等空調装置の電気回路と、当該電気回路の駆動を制御する制御部とから構成され、当該制御部には火炎の強弱状態に応じて赤外線の検知感度を可変可能としたことを特徴とする人体検知機能を備える空調装置。
【請求項２】
人体検知装置が空調機器の側面に取り付けられていることを特徴とする請求項１に記載の人体検知機能を備える空調装置。
【発明の詳細な説明】
【技術分野】
【０００１】
本発明は空調装置に係り、特に人体検知装置を具備することで利用者の有無或いは位置を検出することで、所望の運転条件を自動的に切り換えて最適な運転状況を得る空調装置に関する。
【背景技術】
【０００２】
従来より空調装置には焦電型動体センサ（以下「人体検知装置」）を備えるものが提案され、特に燃焼機器等火気を使用する燃焼空調装置においては運転制御に応用され、利用者がいないときには運転を停止させる安全装置の役割としたり、或いは人体検知センサにを使用することで、利用者の場所を検知することで運転状態を変化させ、例えば特定の場所の空調を集中的に行わせるといった制御に利用されている。
【０００３】
上記のような空調装置は、例えば特開２００４−２３２９８７号（特許文献１）が代表
的な発明であり、また、当該特許文献１に開示の特開平９−２５７３０９号（特許文献２）特開昭６４−３１９４９号（特許文献３）、実開平５−７９３４８号（特許文献４）、特開平４−３５３３５３号（特許文献５）のような技術も提案されている。
【０００４】
【特許文献１】特開２００４−２３２９８７号
【特許文献２】特開平９−２５７３０９号
【特許文献３】実開昭６４−３１９４９号
【特許文献４】実開平５−７９３４８号
【特許文献５】特開平４−３５３３５３号
【発明の開示】
【発明が解決しようとする課題】
【０００５】
しかしながら上述した先行文献においては、この全てが人体を検出して燃焼を制御する技術を開示している。一般に人体検知装置には赤外線を感知する焦電型動体センサを使用しているが、例えば火災報知器のように人命に関わる人体検知装置においては比較的赤外線検知の精度がよく、誤検知のない人体検知装置を使用しているが、空調装置における人体検知装置の役割は、上述した火災報知器の役割とは異なるもので、赤外線の検出制度が悪くても安価なセンサの使用が望まれている。
【０００６】
しかしながら、従来の空調装置において、特に火気を用いる暖房装置、例えばファンヒータ或いはストーブにおいては火炎からも赤外線が放出されており、上述した安価な人体検出装置を使用し利用者の有無または位置を検出する場合には誤検知が発生し、人を検知しているのか、火炎からの赤外線を検知しているのかの判断がつかず、燃焼制御に支障を来すことになる。
【０００７】
本発明はこのような課題に鑑み、使用状況に応じて人体検知装置の検知感度を可変可能とした空調装置を提供することを目的とする。
【課題を解決するための手段】
【０００８】
上記課題を解決するために本発明では次のような構成とする。すなわち、請求項１では、火炎を用いた空調装置であって、当該空調装置には人体検知装置を備え、当該人体検知装置により運転状態を可変可能とし当該運転状態を制御する制御装置を備える空調装置において、前記制御装置はファンモータ等空調装置の電気回路と、当該電気回路の駆動を制御する制御部とから構成され、当該制御部には火炎の強弱状態に応じて赤外線の検知感度を可変可能としたことを特徴とする人体検知機能を備える空調装置とし、前記人体検知装置が空調機器の側面に取り付けられていてもよい。
【発明の効果】
【０００９】
上記構成のように、運転状況に従った火炎を検知し、その状態から放出されるであろう赤外線の状態を予め人体検知の制御に使用できるため、ある程度精度が劣る人体検知装置であっても補正が行えるので、機器全体としては精度の優れた人体検知装置をえることができる。また、特に空調装置の空気吹き出し口の面に取り付けられるタイプの人体検知装置であれば、センサの指向性より上記課題をより大きい影響を受けるものであるが、本発明の構成によって特に顕著な効果が得られるものとなる。すなわち、空調機器の側面に取り付けられる人体検知装置は、この検知範囲が空調後の空気吹き出し口にかぶることになり、当該空気はより多くの赤外線を含むことになるが、本発明の制御によって誤検知が解消でき検知信頼性が向上する。
【実施例】
【００１０】
次に本発明の実施例について述べる。図１には本発明の実施例とするファンヒータの外形図を示している。図１において、ファンヒータ１０は、正面側面（以下「温風吹き出し面１２」と呼ぶ）に操作部１４と人体検知装置２０、温風吹き出し口１６とを備え、前記操作部には利用者が任意に温度設定をしたり、運転モードの切り替え或いはタイマーや時刻の設定を行うボタン類、また燃料表示機能や電源スイッチ等が備えられている。人体検知装置２０は利用者の存在有無或いは利用者の数、位置等を検知するもので、主に赤外線センサから構成されている。温風吹き出し口１６は次のようにしてえられる温風を吹き出す吹き出し口となっている。前記ファンヒータは、図示しない筐体内部に存在する石油やガス等を燃料とし、当該燃料を燃焼部に送出するポンプ類、燃焼室に空気を送るファンモータ、燃焼部での火炎の強弱を制御する制御部があり、前記操作部により入力された運転状態に応じた温風が温風吹き出し口より吹き出される構造となっている。一般的に前記制御部は電気回路で構成された配線基板上にマイコンとして搭載されている。
【００１１】
本発明においては、上記一般的なファンヒータの構造に加え、次のような人体検知機能を付加している。本実施例においては、人体検知装置２０からの信号をマイコンで処理することで利用者の識別を行っており、当該マイコンでの処理を図２と図３に示し、この動作を以下に述べる。
【００１２】
図２と図３においては本発明のひとつの実施例として、マイコンにおいて人体検知装置２０からの信号を１００ｍｓの読込タイミングで常に読み込んでいる。図２においてセンサ出力とは人体検知装置２０から送られてくるＨ、Ｌの方形波を示し、検知結果はＨ，Ｌの方形波としＨの場合に利用者が検知されることを意味している。また、図３においては、ａは上記センサ出力から連続してＨが出力されるカウント数を、Ｂは１００ｍｓの読込タイミングの回数をそれぞれ示している。また、図３のパターンＡＢＣはファンヒータ本体の能力、すなわち例えば小型中型大型といったように燃焼能力の大小別に区分けしたもので、本実施例ではパターンＡを小型、パターンＢを中型、パターンＣを大型としている。さらにモード１から９はそれぞれの運転状況を示しており、例えばモード１は停止中からモード９は最大燃焼運転時といったことを指し、その間の運転状況はプレパージ、ポストパージを含み微笑燃焼、弱燃焼、中燃焼、強燃焼といった燃焼状態を指している。
【００１３】
具体的には、人体検知装置からの信号は１００ｍｓ毎にマイコンに入力され、その都度Ｈ、Ｌの判定を行っている。そしてファンヒータの能力に応じて、停止状態から弱運転向き（パターンＡにおけるモード１からモード６）には、１０回すなわち１００ｍｓ×１０回＝１ｓ間に３回Ｈが入力された場合を、モード７においては１ｓに５回、モード８と９では１．５ｓに８回Ｈが入力された場合において利用者がいると判定している。そして、Ｌがｂ回数分連続した場合を利用者不在と判定する。パターンＢ、Ｃにおいてはａ／ｂの数値が異なるが、基本的には強燃焼時は弱燃焼時に比べてａ／ｂを大きくしている。
【００１４】
以上のような構成による作用として、燃焼時には赤外線が放出されることは周知であり、当該燃焼が強ければ強いほど、言い換えればファンヒータの運転が強くなるほど赤外線の放出量が増大し、本来人体検知装置２０が検知したいとする人間（利用者）の赤外線量に影響を及ぼすことになるが、本発明のように燃焼状態に応じて人体検知装置からの信号を加工することで検知装置自体の感度を調整し、燃焼部からの赤外線ノイズをある程度考慮に入れた制御を行うことで、検知精度を向上させることができる。
【００１５】
また、上記の人体検知を行う場合、人体検知装置２０の感度（指向性）の問題から、特に温風吹き出し面１２に人体検知装置２０を配置した場合に顕著な効果が得られる。すなわち、一般的に人体検知装置２０の取付位置は筐体の上面であっても側面であってもよいが、人を検知する場合には側面に配置した方が確実な検知が行える。しかし温風には赤外線が含まれるため、従来の特別な制御を入れない人体検知装置では誤判定が顕著であったが、本発明の通り人体検知装置２０を筐体の側面に取り付けることでより精度のよい検知結果が得られるものである。
【００１６】
なお、上記実施例では、特に図２と３に示すような時間やタイミング、読込回数や検知判定回数を挙げているが、これらは説明の都合上明示しているだけであってこれらに固定されるものではない。本発明では、赤外線のノイズとなる強燃焼時に読込回数を増やし、逆に弱燃焼或いは燃焼がない場合には読込回数を減少させていけばよく、モードの数や種類についても実施例に記載のものでなくてもよいし、他のファンモータ制御や別の火炎検知手段と組み合わせて制御してもよいのは勿論である。
【図面の簡単な説明】
【００１７】
【図１】本発明のファンヒータの外形図を示す。
【図２】本発明の人体検知機能を示す波形図の一例を示す。
【図３】本発明の人体検知手段の一例を示す。
【符号の説明】
【００１８】
１０  ファンヒータ
１２  温風吹き出し面
１４  操作部
１６  温風吹き出し口
２０  人体検知装置
【図１】
2007113907.tif 000003
【図２】
2007113907.tif 000004
【図３】
2007113907.tif 000005